(57)【要約】【課題】高強度かつ高剛性に加えて、さらに優れた加工性をも具備した鋼板を提供する。【解決手段】Ｃ：0.05〜0.15％、Si：1.5％以下、Mn：1.5〜3.0％、Ｐ：0.05％以下、Ｓ：0.01以下、Al：0.5％以下、Ｎ：0.01％以下、Nb：0.02〜0.15％およびTi：0.01〜0.15％を含有し、残部は実質的に鉄および不可避的不純物からなる成分組成並びに、フェライト相の面積率が50％以上およびマルテンサイト相の面積率が５％以上、かつ（112）[1-10]方位のODF解析強度が５以上である組織とし、さらに、引張強さ（TS）を590MPa以上、降伏強度（YS）と引張強さとの比YS／TSを0.70以下、引張強さと全伸び（El）との積TS×Elを16800MPa・％以上、そして圧延方向に対して直角方向のヤング率を230GPa以上とする。【選択図】なし【特許請求の範囲】
【請求項１】
質量％で
Ｃ：0.05〜0.15％、
Si：1.5％以下、
Mn：1.5〜3.0％、
Ｐ：0.05％以下、
Ｓ：0.01以下、
Al：0.5％以下、
Ｎ：0.01％以下、
Nb：0.02〜0.15％および
Ti：0.01〜0.15％
を含有し、残部は鉄および不可避的不純物からなる成分組成を有するとともに、フェライト相の面積率が50％以上およびマルテンサイト相の面積率が５％以上、かつ（112）［1-10］方位のODF解析強度が５以上である組織を有し、さらに、引張強さ（TS）は590MPa以上、降伏強度（YS）と引張強さとの比YS／TSが0.70以下、引張強さと全伸び（El）との積TS×Elが16800MPa・％以上、そして圧延方向に対して直角方向のヤング率が230GPa以上であることを特徴とする加工性に優れた高剛性高強度鋼板。
【請求項２】
請求項１において、前記成分組成として、さらに、質量％で
Ｖ：0.01〜0.20％および
Ｗ：0.01〜0.20％
のいずれか１種または２種を含有する加工性に優れた高剛性高強度鋼板。
【請求項３】
請求項１または２において、前記成分組成として、さらに、質量％で
Cr：0.1〜1.0％、
Ni：0.1〜1.0％、
Mo：0.1〜1.0％、
Cu：0.1〜2.0％および
Ｂ：0.0005〜0.0030％
のいずれか１種または２種以上を含有する加工性に優れた高剛性高強度鋼板。
【請求項４】
質量％で
Ｃ：0.05〜0.15％、
Si：1.5％以下、
Mn：1.5〜3.0％、
Ｐ：0.05％以下、
Ｓ：0.01以下、
Al：0.5％以下、
Ｎ：0.01％以下、
Nb：0.02〜0.15％および
Ti：0.01〜0.15％
を含有し、残部は鉄および不可避的不純物からなる成分組成を有する鋼スラブに、仕上温度が800〜950℃の熱間圧延を施したのち、550℃以上で巻取り、酸洗後に40〜75％の圧下率の冷間圧延を行い、その後、780〜860℃の均熱温度まで１℃／s以上の平均加熱速度にて加熱し、該均熱温度での保持時間を150s以下とし、均熱後は、少なくとも350℃までの平均冷却速度を３〜50℃／sとして350℃以下まで冷却することを特徴とする加工性に優れた高剛性高強度鋼板の製造方法。
【請求項５】
請求項４において、前記鋼スラブがさらに、質量％で
Ｖ：0.01〜0.20％および
Ｗ：0.01〜0.20％
のいずれ１種または２種を含有する加工性に優れた高剛性高強度鋼板の製造方法。
【請求項６】
請求項４または５において、前記鋼スラブがさらに、質量％で
Cr：0.1〜1.0％、
Ni：0.1〜1.0％、
Mo：0.1〜1.0％、
Cu：0.1〜2.0％および
Ｂ：0.0005〜0.0030％
のいずれか１種または２種以上を含有する加工性に優れた高剛性高強度鋼板の製造方法。
【発明の詳細な説明】
【技術分野】
【０００１】
本発明は、主に自動車車体の構造部品に供して好適な、ヤング率および強度の高い高剛性高強度鋼板および、該鋼板を安定的かつ効率的に製造する方法に関する。
【背景技術】
【０００２】
近年、地球環境問題への関心の高まりを受けて、自動車では排ガス規制や燃費の向上が希求されている。これらの要求の実現には、自動車における車体の軽量化は極めて重要な課題である。そのためには、鋼板の高強度化により板厚を減少させて、車体の軽量化を図ることは有効な方法である。
最近では、鋼板の高強度化が顕著に進んだ結果、引張強さが590MPa以上で板厚2.0mmを下回るような薄鋼板が製造可能になり、このような薄鋼板を積極的に適用する動きがある。一方で、部品剛性は、断面形状が同じならば、板厚とヤング率で決まるため、軽量化と部品剛性の両立には、ヤング率の向上が必要である。
【０００３】
ここで、高い引張強さと高いヤング率とを併せ持つ冷延鋼板として、特許文献１には、フェライト相を主相として、第二相として面積率で１％以上のマルテンサイト相を含む組織とすることが開示されている。
【特許文献１】特開2006−183131号公報
【発明の開示】
【発明が解決しようとする課題】
【０００４】
ところで、自動車の構造部品に供する鋼板に求められる特性としては、上記した強度並びに剛性のほか、部品へ加工する際の加工性に優れることも重要であり、強度に応じて、全伸びElを確保することが必要である。すなわち、加工性は、引張強さTSと全伸びElとの積TS×Elを指標とすることができ、この積TS×Elが16800MPa・％以上であれば、強度に応じて、必要な加工性を満足することになる。
【０００５】
特許文献１に開示された技術は、合金添加量を増加することによって、マルテンサイト分率を増加して引張強さを上昇させているが、全伸びが低くなって積TS×Elも低下することから、高強度化に併せて加工性をも向上することは難しかった。そこで、本発明の目的は、かような諸特性を同時に満足させる技術について提案することにある。
【課題を解決するための手段】
【０００６】
鋼のヤング率は、集合組織に大きく依存し、体心立方格子である普通鋼の場合は、原子の最密方向である＜111＞方向に高く、逆に原子密度の小さい＜100＞方向に低いため、（112）［1-10］方位を発達させれば、鋼板の圧延直角方向に＜111＞方向が揃い、この方向のヤング率を高めることができる。
【０００７】
また、鋼の強化法には種々あるが、軟質なフェライト相を硬質なマルテンサイト相で強化したDP鋼は、概ね良好な延性を持つことが知られている。
【０００８】
この観点から種々の検討行ったところ、焼鈍過程において均熱温度と時間を制御するとともに、均熱後の冷却時にフェライトを一定の割合以上生成させ、残部をマルテンサイトとすることにより、フェライトの方位をヤング率に有利な方向に集積させることができ、さらに均熱後の冷却停止温度を350℃以下にすることによって、優れた強度−延性バランスが得られることを見出した。
【０００９】
本発明は、以上の知見に基づいてなされたものであり、その要旨構成は次のとおりである。
（１）質量％で
Ｃ：0.05〜0.15％、
Si：1.5％以下、
Mn：1.5〜3.0％、
Ｐ：0.05％以下、
Ｓ：0.01以下、
Al：0.5％以下、
Ｎ：0.01％以下、
Nb：0.02〜0.15％および
Ti：0.01〜0.15％
を含有し、残部は実質的に鉄および不可避的不純物からなる成分組成を有するとともに、フェライト相の面積率が50％以上およびマルテンサイト相の面積率が５％以上、かつ（112）[1-10]方位のODF解析強度が５以上である組織を有し、さらに、引張強さ（TS）は590MPa以上、降伏強度（YS）と引張強さとの比YS／TSが0.70以下、引張強さと全伸び（El）との積TS×Elが16800MPa・％以上、そして圧延方向に対して直角方向のヤング率が230GPa以上であることを特徴とする加工性に優れた高剛性高強度鋼板。
2008240125.tif 000002
【００１０】
（２）前記（１）において、前記成分組成として、さらに、質量％で
Ｖ：0.01〜0.20％および
Ｗ：0.01〜0.20％
のいずれか１種または２種を含有する加工性に優れた高剛性高強度鋼板。
【００１１】
（３）前記（１）または（２）において、前記成分組成として、さらに、質量％で
Cr：0.1〜1.0％、
Ni：0.1〜1.0％、
Mo：0.1〜1.0％、
Cu：0.1〜2.0％および
Ｂ：0.0005〜0.0030％
のいずれか１種または２種以上を含有する加工性に優れた高剛性高強度鋼板。
【００１２】
（４）質量％で
Ｃ：0.05〜0.15％、
Si：1.5％以下、
Mn：1.5〜3.0％、
Ｐ：0.05％以下、
Ｓ：0.01以下、
Al：0.5％以下、
Ｎ：0.01％以下、
Nb：0.02〜0.15％および
Ti：0.01〜0.15％
を含有し、残部は鉄および不可避的不純物からなる成分組成を有する鋼スラブに、仕上温度が800〜950℃の熱間圧延を施したのち、550℃以上で巻取り、酸洗後に40〜75％の圧下率の冷間圧延を行い、その後、780〜860℃の均熱温度まで１℃／s以上の平均加熱速度にて加熱し、該均熱温度での保持時間を150s以下とし、均熱後は、少なくとも350℃までの平均冷却速度を３〜50℃／sとして350℃以下まで冷却することを特徴とする加工性に優れた高剛性高強度鋼板の製造方法。
【００１３】
(５)前記（４）において、前記鋼スラブがさらに、質量％で
Ｖ：0.01〜0.20％および
Ｗ：0.01〜0.20％
のいずれか１種または２種を含有する加工性に優れた高剛性高強度鋼板の製造方法。
【００１４】
(６) 前記（４）または（５）において、前記鋼スラブがさらに、質量％で
Cr：0.1〜1.0％、
Ni：0.1〜1.0％、
Mo：0.1〜1.0％、
Cu：0.1〜2.0％
Ｂ：0.0005〜0.0030％
のいずれか１種または２種以上を含有する加工性に優れた高剛性高強度鋼板の製造方法。
【発明の効果】
【００１５】
本発明によれば、自動車の構造部品に好適な、高強度かつ高剛性であり、しかも加工性に優れた鋼板、具体的には、引張強さTSが590MPa以上、ヤング率が235GPa以上およびTS×El≧16800MPaである鋼板を安定して提供することができる。
【発明を実施するための最良の形態】
【００１６】
次に、本発明の高剛性高強度鋼板について、まず、成分組成から順に説明する。なお、成分組成に関する「％」表示は、特に断らない限り、全て質量％を意味する。
Ｃ：0.05〜0.15％、
Ｃは、オーステナイトを安定化させる元素であり、冷間圧延後の焼鈍時における冷却過程において、焼入れ性を高め、マルテンサイト相の生成を大きく促進することによって、高強度化に大きく寄与する。さらに、Ｃ量を増加させると、マルテンサイトの生成温度が低下し、マルテンサイトの生成時に発生する歪が大きくなるために、降伏が起こりやすくなって、比YS／TSを低下することができる。このような効果を得るためには、Ｃの含有量を0.05％以上とする必要がある。
【００１７】
一方、Ｃ量が高くなると、マルテンサイト相の分率が大きくなり、鋼が極端に高強度化するとともに、加工性が劣化し、またフェライト相が減少するため、ヤング率が低下する。そのため、Cの含有量は0.15％以下とする必要がある。
【００１８】
Si：1.5％以下
Siは、1.5％を超えて含有されると、鋼板の溶接性を劣化させるとともに、熱延加熱時においては、スラブ表面においてファイヤライトの生成を促進することで、いわゆる赤スケールと呼ばれる表面模様の発生を助長する。さらに冷延鋼板として使用される場合には、表面に生成するSi酸化物が化成処理性を劣化させ、溶融亜鉛めっき鋼板として使用される場合には、表面に生成するSi酸化物が不めっきを誘発する。したがって、Si含有量は1.5％以下とする必要があり、表面性状を必要とする鋼板や溶融亜鉛めっき鋼板の場合には、0.5％以下とすることが好ましい。
【００１９】
Mn：1.5〜3.0％
Mnは、本発明の重要な元素の１つである。オーステナイト安定化元素であるMnは、冷間圧延後の焼鈍工程における昇温過程において、Ａc１変態点を低下させ、未再結晶フェライトからのオーステナイト変態を促進することにより、均熱後の冷却過程において生成するフェライトの方位に関し、ヤング率の向上に有利な方位を発達させることができる。またMnは、焼鈍工程における均熱焼鈍後の冷却過程においては、焼き入れ性を高め、低温変態相の生成を大きく促進することで、高強度化に大きく寄与することもできる。そして、固溶強化強化元素として作用することで、鋼の高強度化に寄与することもできる。このような効果を得るためには、Mnの含有量を1.5％以上とする必要がある。一方、多量のMn添加は、均熱後冷却時に、高ヤング率化に必要なフェライトの生成を著しく抑制し、またマルテンサイト相が増加することで、鋼が極端に高強度化するとともに、加工性が劣化してしまう。さらに、多量のMn添加は鋼板の溶接性も劣化させてしまう。したがって、Mn含有量は3.0％以下とする必要がある。
【００２０】
Ｐ：0.05％以下
Ｐは、粒界に偏析して、鋼板の延性および靭性を低下させるとともに、溶接性も劣化させる。また、合金化溶融亜鉛めっき鋼板として使用される場合には、Ｐにより合金化速度が遅滞してしまう。したがって、Ｐの含有量は0.05％以下とする必要がある。一方、Ｐは固溶強化元素として高強度化に有効な元素であり、また、フェライト安定化元素として、オーステナイト中へのＣ濃化を促進する作用も有する。さらに、Siを添加した鋼においては、赤スケールの発生を抑制する作用も有する。このような作用を得るためには、Ｐの含有量は0.01％以上とすることが好ましい。
【００２１】
Ｓ：0.01％以下
Ｓは、熱間での延性を著しく低下させて熱間割れを誘発し、表面性状を著しく劣化させる。さらに、Ｓは、強度にほとんど寄与しないばかりか、不純物元素として粗大なMnSを形成することにより、延性および穴拡げ性を低下させるため、極力低減することが望ましい。これらの問題はＳ量が0.01％を超えると顕著となるため、Ｓ量は0.01％以下とする必要がある。さらに、穴拡げ性をとくに向上させる観点からは、0.005％以下とすることが好ましい。
【００２２】
Al：0.5％以下
Alは、フェライト安定化元素であり、焼鈍時のＡc３点を大きく上昇させることから、未再結晶フェライトからのオーステナイト変態を抑制することによって、冷却時のオーステナイトからフェライトが生成する際に、ヤング率に有利な方位の発達を妨げることになる。このためAl含有量を0.5％以下とする必要がある。一方、Alは、鋼の脱酸元素として有用であるため、Al含有量は0.01％以上とすることが好ましい。
【００２３】
Ｎ：0.01％以下
Ｎは、多量に含有すると、熱間圧延中にスラブ割れを伴い、表面疵が発生するおそれがある。したがって、Ｎ量は0.01％以下とする必要がある。
【００２４】
Nb：0.02〜0.15％
Nbは、本発明における重要な元素である。冷間圧延後の焼鈍工程における昇温過程において、加工フェライトの再結晶を抑制することによって、未再結晶フェライトからのオーステナイト変態を促進し、さらにオーステナイト粒の粗大化を抑制し、焼鈍均熱後の冷却過程において生成するフェライトに関し、ヤング率の向上に有利な方位を発達させることができる。さらに、Nbの微細な炭窒化物は、強度上昇に寄与することもできる。このような作用を有するために、Nbの含有量を0.02％以上とする必要がある。好ましくは、0.03％以上である。
【００２５】
一方、多量のNbを添加しても、通常の熱間圧延工程における再加熱時においては、炭窒化物は全固溶することができず、粗大な炭窒化物が残るため、熱間圧延工程における加工オーステナイトの再結晶抑制効果や、冷間圧延後の焼鈍工程における加工フェライトの再結晶抑制効果を得ることはできない。また、連続鋳造からスラブを一旦冷却したのち再加熱を行う工程を経ることなく、連続鋳造後、そのまま熱間圧延を開始する場合においても、Nbの添加量が0.15％を超えた分の再結晶抑制効果の寄与は小さく、そのうえ、合金コストの増加も招いてしまう。したがって、Nb含有量は、0.15％以下とする必要がある。
【００２６】
Ti：0.01〜0.15％
Tiは、Nbと同様に、本発明において重要な元素である。Tiは、微細な炭窒化物を形成することによって、強度上昇に寄与することができる。また、焼鈍過程において、加工フェライトの再結晶を抑制したり、オーステナイト粒の粗大化を抑制することにより、高ヤング率化に寄与できる。このような作用を有するために、Tiの含有量を0.01％以上とする必要がある。
【００２７】
一方、多量のTiを添加しても、通常の熱間圧延工程における再加熱時においては、炭窒化物は全固溶することができず、粗大な炭窒化物が残るため、強度上昇効果や再結晶抑制効果を得ることができない。また、連続鋳造からスラブを一旦冷却したのち再加熱を行う工程を経ることなく、連続鋳造後そのまま熱間圧延を開始する場合においても、Tiの添加量が0.15％を超えた分の強度上昇効果および、再結晶抑制効果の寄与分は小さく、そのうえ、合金コストの増加も招いてしまう。したがって、Ti含有量は0.15％以下とする必要がある。
なお、上記した成分以外の残部は、Feおよび不可避的不純物である。
【００２８】
また、上記化学成分に加えて、微細炭窒化物を用いた強度上昇のため、Ｖ：0.01〜0.20％、Ｗ：0.01〜0.20％のうちの１種または２種を、焼き入れ性を高めるためにCr：0.1〜1.0％、Ni：0.1〜1.0％、Mo：0.1〜1.0％、Cu:0.1〜2.0％およびＢ：0.003〜0.0030％のうちの１種または２種以上を添加することができる。
Ｖ：0.01〜0.20％
Ｖは、微細な炭窒化物を形成することによって、強度上昇に寄与する。このような作用を有するために、Ｖの含有量を0.01％以上とすることが好ましい。一方、多量のＶを添加しても、0.20％を超えた分の強度上昇効果は小さく、そのうえ、合金コストの増加も招いてしまう。したがって、Ｖの含有量は0.20％以下とすることが好ましい。
【００２９】
Ｗ：0.01〜0.20％
Ｗは、微細な炭窒化物を形成することによって、強度上昇に寄与する。このような作用を有するために、Ｗの含有量を0.01％以上とすることが好ましい。一方、多量のＷを添加しても、0.20％を超えた分の強度上昇効果は小さく、そのうえ、合金コストの増加も招いてしまう。したがって、Ｗの含有量は0.20％以下とすることが好ましい。
【００３０】
Cr：0.1〜1.0％
Crは、セメンタイトの生成を抑制することによって、焼き入れ性を高める元素であり、焼鈍工程における均熱後の冷却過程において、マルテンサイト相の生成を大きく促進して高強度化に大きく寄与する。このような効果を得るには、Crを0.1％以上含有することが好ましい。一方、多量にCrを添加しても効果が飽和するだけでなく、合金コストが増加することから、Crは1.0％以下で添加することが好ましい。さらに、溶融亜鉛めっき鋼板として使用される場合には、表面に生成するCrの酸化物が不めっきを誘発してしまうことから、Cｒ含有量は0.5％以下とすることが好ましい。
【００３１】
Ni：0.1〜1.0％
Niは、焼鈍工程における均熱焼鈍後の冷却過程において、焼き入れ性を高める元素であり、マルテンサイト相の生成を大きく促進することによって、高強度化に大きく寄与することができる。また、NiはMn同様に、オーステナイト安定化元素であり、冷間圧延後の焼鈍工程における昇温過程において、Ａc１変態点を低下させ、未再結晶フェライトからのオーステナイト変態を促進することにより、均熱後の冷却過程において生成するフェライトの方位に関し、ヤング率の向上に有利な方位を発達させることもできる。そして、固溶強化元素として作用することにより、鋼の高強度化に寄与することもできる。さらに、Cu添加鋼の場合には、熱間圧延時において、熱間延性の低下にともなう割れにより表面欠陥が誘発されるが、Niを複合添加することで、表面欠陥の発生を抑制することができる。このような作用を得るためには、Ni含有量を0.1％以上とすることが好ましい。一方、多量のNi添加は、均熱後の冷却時に、高ヤング率化に必要なフェライトの生成を抑制し、また低温変態相が増加することで、鋼が極端に高強度化するとともに、加工性が劣化してしまう。さらに、合金コストも増加することから、Ni含有量は1.0％以下とするのが好ましい。
【００３２】
Mo：0.1〜1.0％
Moは、界面の移動度を小さくすることによって、焼き入れ性を高める元素であり、冷間圧延後の焼鈍工程における冷却過程においては、マルテンサイト相の生成を大きく促進することで、高強度化に大きく寄与することができる。このような作用を得るためには、Moを0.1％以上含有することが好ましい。一方、多量にMoを添加しても、効果が飽和するだけでなく、合金コストが増加することから、Mo含有量は0.5％以下とすることが好ましい。
【００３３】
Cu：0.1〜2.0％
Cuは、焼き入れ性を高める元素であり、冷間圧延後の焼鈍工程における冷却過程においては、低温変態相の生成を大きく促進することで、高強度化に大きく寄与する。この効果を得るためには、Cu含有量を0.1％以上とすることが好ましい。一方、過剰なCu添加は熱間での延性を低下させ、熱間圧延時の割れにともなう表面欠陥を誘発するとともに、Cuによる焼き入れ効果も飽和することから、Cu含有量は2.0％以下とすることが好ましい。
【００３４】
Ｂ：0.0005〜0.0030％
Ｂは、オーステナイトからフェライトへの変態を抑制して焼き入れ性を高める元素であり、冷間圧延後の焼鈍工程における冷却過程においては、マルテンサイト相の生成を大きく促進することによって、高強度化に大きく寄与する。この効果を得るためには、Ｂを0.0005％以上添加することが好ましい。一方、Ｂの過剰な添加は、焼鈍均熱後の冷却時のフェライト生成を著しく抑制し、ヤング率を低下させることから、0.0030％以下で添加することが好ましい。
【００３５】
さらに、本発明の鋼板は、フェライト相を面積率で50％以上およびマルテンサイト相を５％以上は含む組織を有することが肝要である。
フェライト相は、ヤング率向上に有利な集合組織の発達に有効であることから、面積率で50％以上とする必要がある。また、マルテンサイト相を含有することにより、強度および強度−伸びバランスが向上することから、面積率で５％以上のマルテンサイト相を含む必要がある。さらに、強度−伸びバランスを向上するためには、フェライト相以外の相が全てマルテンサイト相で構成されることがより好ましい。また、フェライト相およびマルテンサイト相以外の相としては、パーライト、ベイナイト並びにセメンタイトを挙げることができる。
【００３６】
なお、フェライト相およびマルテンサイト相の面積率は、鋼板断面をナイタール腐食した後、走査型電子顕微鏡（SEM）観察を行い、30×30μm域の写真を３枚撮影し、これら写真を画像処理してフェライト相およびマルテンサイト相の面積を測定して求めた。
【００３７】
［集合組織：（112）［1-10］方位のODF解析強度≧５］
（112）［1−10］方位の集合組織を発達させることにより、圧延方向に対して直角方向のヤング率を向上させることができることから、鋼板の1／4板厚における板面の（112）［1-10］方位のODF解析強度を５以上にする必要がある。
【００３８】
ここで、（112）［1-10］方位のODF解析強度は、機械研削と、加工歪みの影響を除去するために、化学研磨により1／4板厚まで減厚したのち、シュルツ法により（110）、（200）、（211）極点図を求め、ODF解析を行い、φ１＝0°、Φ＝35°、φ２＝45°のときの解析強度である
【００３９】
以上の成分組成並びに組織に従うことによって、引張強さTSが590MPa以上、降伏強度（YS）と引張強さとの比YS／TSが0.70以下、引張強さと全伸び（El）との積TS×Elが16800MPa・％以上、そして圧延方向に対して直角方向のヤング率が230GPa以上である加工性に優れた高剛性高強度鋼板となる。
【００４０】
次に、本発明の製造条件について説明する。
まず、目的とする強度レベルに応じて上記した組成に従う化学成分の鋼を溶製する。溶製方法は、通常の転炉法、電炉法等、適宜適用することができる。溶製された鋼は、スラブに鋳造後、そのまま、あるいは一旦冷却してから、加熱し、仕上温度が800〜950℃の熱間圧延を施す。
【００４１】
［仕上温度：800〜950℃］
本発明において、熱間圧延工程にて集合組織を発達させる必要は特にない。仕上温度を950℃以下とすることによって、未再結晶オーステナイトからフェライトへの変態が進み、微細なフェライト組織が得られ、さらに、冷間圧延および焼鈍により（112）[1-10]方位への集積を促進することが出来る。一方、仕上温度が800℃を下回ると、Ａr３変態点を下回る危険が大きくなり、熱延組織に加工組織が混じる結果、冷延焼鈍後に（112）[1-10]方位への集積が妨げられる。そのため、仕上温度の下限を800℃とする。
【００４２】
熱間圧延を、前記の仕上げ条件で仕上げた後、550℃以上で巻取る。
［巻取り温度：550℃以上］
仕上圧延後の巻取り温度が550℃を下回ると、フェライトの他に硬質なベイナイトやマルテンサイトが生成するようになる。この場合、冷間圧延での変形が不均一になり、ヤング率に有利な方位への集積が妨げられ、その結果、焼鈍後の集合組織が発達せず、ヤング率が向上しない。そのため、巻取り温度は550℃以上とする必要がある。なお、巻取り温度が高すぎると、フェライト粒が粗大化し、冷間圧延での方位の集積が妨げられ、またNbやTiの炭窒化物が粗大化し焼鈍時のフェライトの再結晶を抑制する効果や、オーステナイト粒の粗大化を抑制する効果が小さくなるため、700℃以下にすることが好ましい
【００４３】
前記巻取り後に巻き戻した鋼板は、酸洗を施した後、40〜75％の圧下率の冷間圧延に供する。
［冷間圧延率：40〜75％］
熱間圧延工程後に冷間圧延を行って、ヤング率の向上に有効な（112）[1-10]方位を集積させる。すなわち、冷間圧延により（112）[1-10]方位を発達させることによって、その後の焼鈍工程後の組織でも、（112）[1-10]方位を持つフェライト粒を増やし、ヤング率を高くする。このような効果を得るには、冷間圧延時の圧延率を40％以上とする必要がある。一方、冷間圧延率が大きくなると、圧延荷重が大きくなって製造が困難になるため、圧延率を75％以下とすることが好ましい。さらに、ヤング率を向上させる観点からは、冷間圧延率を50％以上とすることが好ましい。
【００４４】
次いで、780〜860℃の均熱温度まで１℃／s以上の平均加熱速度にて加熱し、該均熱温度での保持時間を150s以下とし、均熱後は、少なくとも350℃までの平均冷却速度を３〜50℃／sとして350℃以下まで冷却する。以下、平均加熱速度は単に加熱速度という。
【００４５】
［均熱温度までの加熱速度：１℃／ｓ以上］
焼鈍後の鋼板のヤング率を高めるには、焼鈍の昇温過程において、冷間圧延によって発達した（112）[1-10]方位をもつフェライトの再結晶を抑制し、加工フェライトからオーステナイトへ変態させる必要があり、そのためには、１℃／ｓ以上の加熱速度が必要である。なお、加熱温度は室温からの平均加熱温度である。
【００４６】
［均熱温度：780〜860℃、均熱時間：150ｓ以下］
焼鈍の加熱時に十分な量のフェライトがオーステナイトに変態し、冷却時にフェライトに再変態することで集合組織が発達し、ヤング率が向上する。また、焼鈍温度が低い場合には、圧延組織が残存し、伸びが低下する。これらのため、均熱温度は780℃以上とする必要がある。一方、均熱温度が高すぎると、オーステナイト粒が粗大になり、焼鈍後冷却時に再変態したフェライトが（112）[1-10]方位に集積することが難しくなる。このため、均熱温度は、860℃以下とする必要がある。また、この温度帯での長時間保持によってもオーステナイト粒の粗大化が起こるため、均熱時間を150ｓ以下とする必要がある。
【００４７】
［均熱温度から350℃までの平均冷却速度：３〜50℃／ｓ］
本発明の製造方法では、前記均熱後の冷却条件を制御することが肝要である。均熱後の冷却時にフェライトを生成させることによりヤング率の向上に有利な集合組織が発達するため、50％以上のフェライトを生成させる必要がある。このため冷却速度の上限を50℃／ｓとする必要がある。一方、冷却が遅すぎる場合、マルテンサイトが生成しないため、冷却速度を３℃／ｓ以上にする必要がある。
【００４８】
また、冷却停止温度が高い場合には、マルテンサイトが生成せずにベイナイトやパーライトが生成し、強度低下と比YS／TSの上昇をまねくことになる。あるいは、マルテンサイトが生成しても冷却中での巻戻しによりマルテンサイトの硬度が低下するため、強度向上への寄与が小さくなるばかりでなく、TSとElとの良好なバランスが得られない。このために、少なくとも350℃までは所定の冷却速度で冷却する必要がある。さらに、TSとElとのバランスをより良くするためには、所定の冷却速度での冷却を少なくとも300℃まで行うことが好ましい。
【００４９】
以上の制御冷却における冷却停止温度と加工性の指標となる積TS×Elとの関係を、後述する実施例１における評価結果に基づいて、図１に示す。同図に示すように、冷却停止温度を350℃以下、さらには300℃以下とすることによって、TSとElとが良好なバランスをもって向上する。
【００５０】
その後は、過時効帯を通過させる処理を施してもよい。また、溶融亜鉛めっき鋼板として製造される場合には、溶融亜鉛中を通板させてもよく、さらに、合金化溶融亜鉛めっき鋼板として製造される場合には、合金化処理を行ってもよい。さらに、一度室温まで冷却したのち、フェライト単相域ないしフェライト＋オーステナイト２相域に再加熱し、溶融亜鉛中を通板させてもよく、その後に、合金化処理を行ってもよい。
【実施例１】
【００５１】
次に、本発明の実施例について説明する。なお、本発明はこれらの実施例のみに限定されるものではない。
まず、表１に示す成分の鋼Ａを真空溶解炉にて溶製し、熱間圧延、冷間圧延、そして焼鈍を行って冷延鋼板を作製した。この際、熱間圧延に先立つ加熱条件：1250℃で１時間、熱間圧延の仕上温度：880℃、熱間圧延後の板厚：2.7mm、巻取り条件：600℃で１時間保持後に炉冷する巻取り相当処理、冷間圧延の圧下率：55％、冷間圧延後の板厚：1.2mm、830℃までの加熱速度：３℃／ｓ、830℃での保持時間：60ｓ、300℃までの冷却速度：15℃／ｓであり、その後室温までの冷却は空冷を基本条件とした。
さらに、以上の基本条件に加えて、均熱後の冷却速度および制御冷却停止温度（急冷温度）を表３に示すように変化させた。すなわち、ここで変化させた条件以外は上記の条件である。
なお、本実施例において、均熱後の冷却は、制御冷却停止温度まで一定速度としており、350℃以下まで冷却した場合、均熱温度から350℃までの平均冷却速度は、制御冷却停止温度までの冷却速度と等しい。
【００５２】
上記焼鈍後に、鋼板の圧延方向に対し直角な方向から10 mm×60mmの試験片を切り出し、横振動型の共振周波数測定装置を用いて、American Society to Testing Materialsの基準（C1259）に従いヤング率（Ｅ）を測定した。また、0.5％の調質圧延を施した冷延鋼板から、圧延方向に対し直角な方向よりJIS５号引張試験片を切り出し、引張特性（引張強さTSと伸びEl）を測定した。
また、上述した方法に従って、フェライト相の面積率(α)およびマルテンサイト相の面積率（Ｍ）と、鋼板の1／4板厚における板面の（112）[1-10]方位のODF解析強度を求めた。
【００５３】
基本条件に従って作製した冷延鋼板は、表２に示すように、TS：660MPa、YS：390MPa、YS/TS：0.59、El：28％、TS×El：18480MPa・％、Ｅ：234GPa、フェライトの面積率：91％、マルテンサイトの面積率：９％およびODF解析強度：8.7であり、強度−伸びバランスが良好で高ヤング率のものとなった。
【００５４】
また、表３に、均熱後の冷却速度と制御冷却停止温度の影響を示す。これら条件が本発明の範囲を満足する場合は、TSが590MPa以上、TS×Elが16800MPa・％以上およびＥが230GPa以上である。
【００５５】
【表１】
2008240125.tif 000003
【００５６】
【表２】
2008240125.tif 000004
【００５７】
【表３】
2008240125.tif 000005
【実施例２】
【００５８】
表４に示す成分の鋼Ｂ〜Ｑを真空溶解炉にて溶製し、上記の基本条件にて熱間圧延、冷間圧延、そして焼鈍を行って冷延鋼板１〜16を作製した。かくして得られた冷延鋼板について、上記と同様の調査を行った。
【００５９】
その調査結果を表５に示す。本発明である成分を満たす鋼板１〜14では、優れた強度を示すとともにヤング率が230GPa以上となる。一方、NbおよびTi量が本発明範囲外である鋼板15では、TSが543MPa、Ｅが221GPaと低い。また、Mn量が著しく高い鋼板16では、Ｅが213GPaと低く、フェライト面積率も36％と発明範囲より低い。Mn量が請求範囲より低い鋼板17では、マルテンサイト相の分率が０％と低く、TSおよびTS×Elが低く、YS/TSが高い。
【００６０】
【表４】
2008240125.tif 000006
【００６１】
【表５】
2008240125.tif 000007
【図面の簡単な説明】
【００６２】
【図１】TS×Elに及ぼす制御冷却停止温度の影響を示す図である。
【図１】
2008240125.tif 000008